(57)【要約】【課題】寝室内に、ベッド及び寝室環境に関連するものを、省スペースで設置可能なベッド装置を提供する。【解決手段】ベッド装置１００は、平面視矩形状に形成され、上面６７ｕ，８７ｕに寝具を載置可能な寝具支持部６０，７０と、床面上に設置され、寝具支持部６０，７０の四箇所の隅部６０ｃ，７０ｃ近傍をそれぞれ支持する支持体１０Ａ，１０Ｂ，１０Ｃ，１０Ｄと、を備え、支持体１０Ａ，１０Ｂ，１０Ｃ，１０Ｄのうち支持体１０Ｂ，１０Ｃ，１０Ｄは、寝室の環境を形成する寝室環境形成部を有し、寝室環境形成部は、隣接する支持体１０Ｂ，１０Ｃ，１０Ｄから独立して設けられていることを特徴とする。【選択図】図２
2019080597.tif 000002
【特許請求の範囲】
【請求項１】
平面視矩形状に形成され、上面に寝具を載置可能な寝具支持部と、
床面上に設置され、前記寝具支持部の四箇所の隅部近傍をそれぞれ支持する複数の支持体と、を備え、
複数の前記支持体のうち少なくとも一の前記支持体は、寝室の環境を形成する寝室環境形成部を有し、
該寝室環境形成部は、隣接する前記支持体から独立して設けられていることを特徴とするベッド装置。
【請求項２】
前記支持体は、前記隅部を形成する２面に沿って配置されていることを特徴とする請求項１に記載のベッド装置。
【請求項３】
前記寝具支持部は、上下方向に離間して２台配置され、
前記支持体の上部に一方の前記寝具支持部が連結されるとともに、前記支持体の下部に他方の前記寝具支持部が連結され、
一の前記支持体の前記寝室環境形成部は、一方の前記寝具支持部へアクセス可能とする梯子であることを特徴とする請求項１または２に記載のベッド装置。
【請求項４】
前記支持体は、
前記隅部を形成する２面のうち一方の面に沿い、前記梯子の背板を形成する梯子背板部と、
前記隅部を形成する２面のうち他方の面に沿い、前記梯子背板部の側縁から突出し、前記梯子の手摺を形成する梯子手摺部と、を有していることを特徴とする請求項３に記載のベッド装置。
【請求項５】
一の前記支持体の前記寝室環境形成部は、棚であり、
前記支持体は、
前記隅部を形成する２面のうち一方の面に沿い、前記棚の背板を形成する棚背板部と、
前記隅部を形成する２面のうち他方の面に沿い、前記棚背板部の側縁から突出し、前記棚の側板を形成する棚側板部と、を有していることを特徴とする請求項１または２に記載のベッド装置。
【請求項６】
一の前記支持体の前記寝室環境形成部は、ラックであり、
前記支持体は、
前記隅部を形成する２面のうち一方の面に沿って設けられ、前記寝具支持部側を向く面に、物品を係止可能なスリットが形成されているパネルを有することを特徴とする請求項１または２に記載のベッド装置。
【請求項７】
前記寝室環境形成部は、前記寝具支持部の前記上面よりも上方にまで延びていることを特徴とする請求項１から６のいずれか一項に記載のベッド装置。
【発明の詳細な説明】
【技術分野】
【０００１】
本発明は、ベッド装置に関するものである。
【背景技術】
【０００２】
従来から、寮、研修施設、宿泊施設、自宅等の寝室では、使用者が快適に睡眠できる環境を提供するためにベッドを設置する場合が多くある。このようなベッドは、床面上に設置される複数の支持体と、支持体間に架設され、マットレス等の寝具が載置可能とされた寝具支持部と、を備えたものが広く知られている。寝具支持部材が複数の支持体に支持され、安定した構成とされている。（下記の特許文献１参照）。
【０００３】
また、寝室には、使用者が快適に睡眠や生活ができるように、時計や本、身の回りの物品を置くための棚や本棚、使用者の好みの写真や絵、メモ等掲示可能なディスプレイ装置、衣類を収容可能な収納棚等の寝室環境に関連する什器が設置されることが多い。
【先行技術文献】
【特許文献】
【０００４】
【特許文献１】特許第５６９５９０１号公報
【発明の概要】
【発明が解決しようとする課題】
【０００５】
しかしながら、寝室にベッドを設置して、さらに上記の棚や本棚、ディスプレイ装置、収納棚等の寝室環境に関連するものを設置すると、寝室内の残りの空間が狭くなってしまうという問題点がある。
【０００６】
本発明は、上記事情に鑑みてなされたものであり、寝室内にベッド及び寝室環境に関連するものを省スペースで設置可能であるとともに、安定して寝具支持部を支持可能なベッド装置を提供するものである。
【課題を解決するための手段】
【０００７】
上記目的を達成するために、本発明は以下の手段を採用している。
すなわち、本発明に係るベッド装置は、平面視矩形状に形成され、上面に寝具を載置可能な寝具支持部と、床面上に設置され、前記寝具支持部の四箇所の隅部近傍をそれぞれ支持する複数の支持体と、を備え、複数の前記支持体のうち少なくとも一の前記支持体は、寝室の環境を形成する寝室環境形成部を有し、該寝室環境形成部は、隣接する前記支持体から独立して設けられていることを特徴とする。
【０００８】
このように構成されたベッド装置では、床面上に設置された複数の支持体が、寝具支持部を支持する。複数の支持体のうち少なくとも一の支持体は、寝室の環境を形成する寝室環境形成部を有している。このように、支持体が寝具支持部を支持する機能を有するとともに、寝室の環境を形成する寝室環境形成部の機能をも有している。よって、棚等の寝室環境に関連する什器をベッドと別に設置するよりも、一の支持体に寝室環境形成部の機能をもたせることで、ベッド及び寝室環境に関連するものを省スペースで設置することができる。
また、支持体は寝具支持部の四箇所の隅部近傍をそれぞれ支持するため、寝具支持部を安定して支持することができる。
また、寝室環境形成部は隣接する支持体から独立して設けられているため、支持体間は寝室環境形成部により閉塞されず、使用者に開放感を与えることができる。
【０００９】
また、本発明に係るベッド装置では、前記支持体は、前記隅部を形成する２面に沿って配置されていてもよい。
【００１０】
このように構成されたベッド装置では、平面視矩形状に形成された寝具支持部の隅部を形成する２面に沿って、支持体が配置されている。よって、各隅部において、直交する２面を支持するため、寝具支持部を安定して支持することができる。
【００１１】
また、本発明に係るベッド装置では、前記寝具支持部は、上下方向に離間して２台配置され、前記支持体の上部に一方の前記寝具支持部が連結されるとともに、前記支持体の下部に他方の前記寝具支持部が連結され、一の前記支持体の前記寝室環境形成部は、一方の前記寝具支持部へアクセス可能とする梯子であってもよい。
【００１２】
このように構成されたベッド装置では、支持体の上部に一方の寝具支持部を連結させ、支持体の下部に他方の寝具支持部を連結させて、上下に寝具支持部を設置している。このように、支持体を共通として、いわゆる２段ベッドを構成することができる。
また、一の支持体の寝室環境形成部は、上方に配置された寝具支持部へアクセス可能とする梯子であるため、梯子を支持体と別に設置する必要がなく、梯子及び寝具支持部を省スペースに設置することができる。
【００１３】
また、本発明に係るベッド装置では、前記支持体は、前記隅部を形成する２面のうち一方の面に沿い、前記梯子の背板を形成する梯子背板部と、前記隅部を形成する２面のうち他方の面に沿い、前記梯子背板部の側縁から突出し、前記梯子の手摺を形成する梯子手摺部と、を有していてもよい。
【００１４】
このように構成されたベッド装置では、支持体は梯子の背板を形成する梯子背板部及び梯子の手摺を形成する梯子手摺部を有するため、梯子背板部及び梯子手摺部を支持体と別に設置する必要がない。また、梯子背板部は隅部を形成する一方の面に沿い、梯子手摺部は隅部を形成する他方の面に沿って配置されている。よって、梯子背板部及び梯子手摺部を省スペースに設置することができる。
【００１５】
また、本発明に係るベッド装置では、一の前記支持体の前記寝室環境形成部は、棚であり、前記支持体は、前記隅部を形成する２面のうち一方の面に沿い、前記棚の背板を形成する棚背板部と、前記隅部を形成する２面のうち他方の面に沿い、前記棚背板部の側縁から突出し、前記棚の側板を形成する棚側板部と、を有していてもよい。
【００１６】
このように構成されたベッド装置では、支持体は棚の背板を形成する棚背板部及び棚の側板を形成する棚側板部を有するため、棚背板部及び棚側板部を支持体と別に設置する必要がない。また、棚背板部は隅部を形成する一方の面に沿い、棚側板部は隅部を形成する他方の面に沿って配置されている。よって、棚背板部及び棚側板部を省スペースに設置することができる。
【００１７】
また、本発明に係るベッド装置では、一の前記支持体の前記寝室環境形成部は、ラックであり、前記支持体は、前記隅部を形成する２面のうち一方の面に沿って設けられ、前記寝具支持部側を向く面に、物品を係止可能なスリットが形成されているパネルを有していてもよい。
【００１８】
このように構成されたベッド装置では、支持体は物品を係止可能なスリットが形成されているパネルを有するため、パネルを支持体と別に設置する必要がない。また、パネルは隅部を形成する一方の面に沿いって配置されているため、パネルを省スペースに設置することができる。また、パネルの寝具支持部側を向く面にスリットが形成されているため、寝具支持部を使用する使用者にとって、スリットに物品をかけやすい。
【００１９】
また、本発明に係るベッド装置では、前記寝室環境形成部は、前記寝具支持部の前記上面よりも上方にまで延びていてもよい。
【００２０】
このように構成されたベッド装置では、寝室環境形成部は寝具支持部の上面よりも上方にまで延びているため、寝具支持部を利用する使用者にとって、寝具環境形成部へのアクセスを良好とすることができる。
【発明の効果】
【００２１】
本発明に係るベッド装置によれば、寝室内に、ベッド及び寝室環境に関連するものを、省スペースで設置することができる。
【図面の簡単な説明】
【００２２】
【図１】本発明の一実施形態に係るベッド装置が設置される居室の平面図である。
【図２】本発明の一実施形態に係るベッド装置を一方向から見た斜視図である。
【図３】本発明の一実施形態に係るベッド装置を図２と異なる方向から見た斜視図である。
【図４】本発明の一実施形態に係るベッド装置の平面図である。
【図５】図４のＡ矢視図である。
【図６】本発明の一実施形態の変形例に係るベッド装置の斜視図である。
【発明を実施するための形態】
【００２３】
以下、本発明の一実施形態に係るベッド装置について、図面を参照して説明する。
図１は、本発明の一実施形態に係るベッド装置が設置される居室の平面図である。図２は、本発明の一実施形態に係るベッド装置を一方向から見た斜視図である。
本実施形態に係るベッド装置１００はいわゆる２段ベッドである（図２参照）。図１に示すように、例えば、学校の寮や社員用の寮で、２人用の部屋にベッド装置１００が設置されている。この部屋には、他に、クローゼット１Ａ，１Ｂ及びデスク２Ａ，２Ｂが設置されている。デスク２Ａ，２Ｂは、部屋の壁Ｗの両端の入隅Ｃ１，Ｃ２に沿ってそれぞれ設置されている。デスク２Ａ，２Ｂ間に、ベッド装置１００が設置されている。ベッド装置１００は、壁Ｗと僅かに間隔を有して配置されている。
【００２４】
図３は、本発明の一実施形態に係るベッド装置１００を図２と異なる方向から見た斜視図である。
図２及び図３に示すように、ベッド装置１００は、床面上に設置された第１〜４支持体１０Ａ，１０Ｂ，１０Ｃ，１０Ｄと、上下方向に離間して配置された下段ベッド部６０（寝具支持部）及び上段ベッド部（寝具支持部）７０と、を備えている。本実施形態では、支持体１０のうち第２〜４支持体１０Ｂ，１０Ｃ，１０Ｄは、寝室の環境を形成する寝室環境形成部を兼ねている。寝室環境形成部は寝室の環境を形成するもので、使用者が就寝したり、くつろいだり、ベッド（寝具支持部）内及びベッド周辺に居る際に使用するものである。本実施形態では、第２〜４支持体１０Ｂ，１０Ｃ，１０Ｄは、それぞれ収納棚（棚）、マガジンラック（ラック）、梯子の機能を有している。
なお、以下の説明において、第１〜４支持体１０Ａ，１０Ｂ，１０Ｃ，１０Ｄを総称して単に支持体１０と称することがある。
【００２５】
各支持体１０は、平面視矩形状に形成された下段ベッド部６０及び上段ベッド部７０の各隅部６０ｃ，７０ｃ（図４参照。以下同じ）に当接配置されている。各支持体１０は、下段ベッド部６０及び上段ベッド部７０の各隅部６０ｃ，７０ｃを形成する直交する２面に沿って、平面視Ｌ字状に形成されている。
【００２６】
以下、第１〜４支持体１０Ａ，１０Ｂ，１０Ｃ，１０Ｄの構成について説明する。
図２に示すように、第１支持体１０Ａは、床面上から立設され、板状に形成された第１板１１及び第２板１２を有している。第１板１１及び第２板１２は、直交配置されている。
【００２７】
図４は、ベッド装置１００の平面図である。
図４に示すように、第１板１１の一端面１１ａ側の表面１１ｆに、第２板１２の一端面１２ａが当接配置され、連結されている。第１板１１及び第２板１２は、略同一の板厚で形成されている。第１板１１の幅寸法（水平方向で板厚方向と直交する方向の寸法）は、第２板１２の幅寸法よりも短い。平面視で、第１板１１と、第２板１２とにより、Ｌ字状をなしている。Ｌ字の短辺側を第１板１１が形成し、長辺側を第２板１２が形成している。
【００２８】
図３に示すように、第２支持体１０Ｂは、床面上から立設され、板状に形成された第１側板２１、第２側板２２及び背板２３を有している。
【００２９】
第１側板２１及び第２側板２２は、板厚方向に離間して配置されている。第１側板２１及び第２側板２２に対して、背板２３が直交配置されている。図４に示すように第１側板２１の一端面２１ａ側の内面（第２側板２２側を向く面）２１ｆに、背板２３の一端面２３ａが当接配置され、連結されている。第２側板２２の内面（第１側板２１側を向く面）２２ｆにおいて、一端面２２ａよりもわずかに他端面２２ｂ側の部分（以下、連結部２２ｃとする）に、背板２３の他端面２３ｂが当接配置され、連結されている。第１側板２１及び第２側板２２は、略同一の板厚で形成されている。第１側板２１の幅寸法（水平方向で板厚方向と直交する方向の寸法）は、第２側板２２の幅寸法よりも短い。
【００３０】
図３に示すように、第１側板２１と第２側板２２との間には、複数の棚板２４及び天板２５が架設されている。棚板２４及び天板２５は、板厚方向を上下方向に向けて配置されている。棚板２４及び天板２５は、平面視矩形状に形成されている。天板２５は、第１側板２１の上端部と第２側板２２の上端部との間に架設されている。
【００３１】
図４に示すように、第１側板２１の端面２１ａ、背板２３の外面（端面２１ａと同じ方向を向く面）２３ｆ及び天板２５の外面２５ｆ（端面２１ａと同じ方向を向く面）は、同一平面上に配置されている。平面視で、これらの面２１ａ，２３ｆ，２５ｆと、第２側板２２の内面２２ｆにおける連結部２２ｃよりも端面２２ａ側の部分により、Ｌ字状をなしている。Ｌ字の短辺側を第２側板２２の内面２２ｆにおける連結部２２ｃよりも端面２２ａ側の部分（棚側板部）が形成し、長辺側を第１側板２１の端面２１ａ、背板２３の外面２３ｆ（棚背板部）及び天板２５の外面２５ｆが形成している。
第２支持体１０Ｂでは、パジャマや着替え着の衣類等を棚板２４に載置することができ、収納棚の機能を有している。
【００３２】
図３に示すように、第３支持体１０Ｃは、床面上から立設され、板状に形成された第１側板３１及び第２側板３２を有している。
【００３３】
第１側板３１及び第２側板３２は、板厚方向に離間して配置されている。第１側板３１及び第２側板３２は、略同一の板厚で形成されている。第１側板３１の幅寸法（水平方向で板厚方向と直交する方向の寸法）は、第２側板３２の幅寸法よりも長い。
【００３４】
第１側板３１及び第２側板３２に対して、連結板３３が直交配置されている。連結板３３には、コンセント３６が設けられている。
【００３５】
連結板３３の表面３３ｆ（第２支持体１０Ｂ側を向く面）には、切欠き部３３ｈが上下に離間して２箇所に形成されている。各切欠き部３３ｈには、スリットパネル（パネル）３４が配置されている。
【００３６】
各スリットパネル３４は、板状に形成され、板厚方向が第１側板３１の幅寸法に向くように配置されている。スリットパネル３４には、板厚方向に貫通するスリット３４ｈが複数形成されている。スリット３４ｈ内に、雑誌や小物等の物品の一部を挿入したり、もしくはフック等の取付金具を介して物品を係止させることができる。
【００３７】
図４に示すように、第２側板３２の端面３２ａ（第２支持体１０Ｂ側を向く面）及び連結板３３の表面３３ｆは、同一平面上に配置されている。平面視で、これらの面３２ａ，３３ｆと、第１側板３１の内面（第２側板３２側を向く面）３１ａにおける連結板３３との連結部分３１ｃよりも第２支持体１０Ｂ側に突出する部分により、Ｌ字状をなしている。Ｌ字の短辺側を第１側板３１の内面３１ａの連結部分３１ｃよりも第２支持体１０Ｂ側に突出する部分が形成し、長辺側を第２側板３２の端面３２ａ及び連結板３３の表面３３ｆが形成している。
第３支持体１０Ｃでは、雑誌や小説等の書籍、鏡、時計等の小物をスリット３４ｈにかけることができ、マガジンラック等の機能を有している。
【００３８】
図２に示すように、第４支持体１０Ｄは、床面上から立設され、板状に形成された第１側板４１、第２側板４２及び背板４３を有している。
【００３９】
第１側板４１及び第２側板４２は、板厚方向に離間して配置されている。第１側板４１及び第２側板４２に対して、背板４３が直交配置されている。図４に示すように、第１側板４１の一端面４１ａ側の内面（第２側板４２側を向く面）４１ｆに、背板４３の一端面４３ａが当接配置され、連結されている。第２側板４２の内面（第１側板４１側を向く面）４２ｆで一端面４２ａよりもわずかに他端面４２ｂ側の部分（以下、連結部４２ｃとする）に、背板４３の他端面４３ｂが当接配置され、連結されている。第１側板４１及び第２側板４２は、略同一の板厚で形成されている。第１側板４１の幅寸法（水平方向で板厚方向と直交する方向の寸法）は、第２側板４２の幅寸法よりも短い。
【００４０】
図２に示すように、第１側板４１の上端面４１ｕ及び第２側板４２の上端面４２ｕは、上方に向かうにしたがって次第に第３支持体１０Ｃ側に向かうように湾曲形成されている。第１側板４１及び第２側板４２は、使用者が第３支持体１０Ｃを上り下りする際に、把持可能な手摺として機能する。第１側板４１の上端面４１ｕ及び第２側板４２の上端面４２ｕが湾曲形成されているため、使用者が第１側板４１の上端面４１ｕ及び第２側板４２の上端面４２ｕを把持する際に把持しやすい。
【００４１】
第１側板４１と第２側板４２との間には、複数の段板部４４が架設されている。段板部４４は、棒状に形成されている。段板部４４における背板４３と反対側を向く面は、湾曲形成されている。複数の段板部４４において、上側の段板部４４が下側の段板部４４よりも背板４３に近接するように配置されている。
【００４２】
図４に示すように、第１側板４１の端面４１ａ及び背板４３の外面（第３支持体１０Ｃ側を向く面）４３ｆは、同一平面上に配置されている。平面視で、これらの面４１ａ，４３ｆと、第２側板４２の内面４２ｆにおける連結部４２ｃよりも端面４２ａ側の部分（梯子手摺部）により、Ｌ字状をなしている。Ｌ字の短辺側を第２側板４２の内面４２ｆにおける連結部４２ｃよりも端面４２ａ側の部分が形成し、長辺側を第１側板４１の端面４１ａ及び背板（梯子背板部）４３の外面４３ｆが形成している。
第４支持体１０Ｄでは、段板部４４に脚をかけて上り下りでき、梯子の機能を有している。
【００４３】
図２に示すように、下段ベッド部６０は、下枠体６１と、下枠体６１内に納められた下平板部６７と、を有している。
【００４４】
下枠体６１は、平面視矩形状に形成されている。下枠体６１は、互いに対向配置された長板部６２，６３と、長板部６２，６３の端部に連結され、互いに対向配置された短板部６４，６５と、を有している。長板部６２，６３は、短板部６４，６５よりも長い。
【００４５】
長板部６２，６３は、板状に形成され、板厚方向を長板部６２，６３の対向方向に向けて配置されている。短板部６４，６５は、板状に形成され、板厚方向を短板部６４，６５の対向方向に向けて配置されている。
【００４６】
長板部６２の端部６２ａには、短板部６４の端部６４ｂが連結されて、隅部６０ｃが形成されている。短板部６４の端部６４ａには、長板部６３の端部６３ｂが連結されて、隅部６０ｃが形成されている。長板部６３の端部６３ａには短板部６５の端部６５ｂが連結されて、隅部６０ｃが形成されている。短板部６５の端部６５ａには、長板部６２の端部６２ｂが連結されて、隅部６０ｃが形成されている。
なお、対向する長板部６２，６３の下部どうしや対向する短板部６４，６５どうしは、不図示の連結板３３で連結されていてもよい。
【００４７】
長板部６２の端部６２ａは、第１支持体１０Ａの第１板１１の下部に不図示の螺子等により連結されている。短板部６４の端部６４ｂは、第１支持体１０Ａの第２板１２の下部に不図示の螺子等により連結されている。第１支持体１０Ａは、長板部６２及び短板部６４により形成される直交する２面に沿って配置されている。
【００４８】
短板部６４の端部６４ａは、第２支持体１０Ｂの第２側板２２の下部に不図示の螺子等により連結されている。長板部６３の端部６３ｂは、第２支持体１０Ｂの背板２３（図３参照）の下部に不図示の螺子等により連結されている。第２支持体１０Ｂは、短板部６４及び長板部６３により形成される直交する２面に沿って配置されている。
【００４９】
長板部６３の端部６３ａは、第３支持体１０Ｃの第１側板３１の下部に不図示の螺子等により連結されている。短板部６５の端部は、第３支持体１０Ｃの連結板３３の下部に不図示の螺子等により連結されている。第３支持体１０Ｃは、長板部６３及び短板部６５により形成される直交する２面に沿って配置されている。
【００５０】
短板部６５の端部６５ａは、第４支持体１０Ｄの第２側板４２の下部に不図示の螺子等により連結されている。長板部６２の端部６２ｂは、第４支持体１０Ｄの背板４３の下部に不図示の螺子等により連結されている。第４支持体１０Ｄは、短板部６５及び長板部６２により形成される直交する２面に沿って配置されている。
このようにして、下枠体６１は、床面から離間するようにして、各支持体１０の下部に連結されている。
【００５１】
下平板部６７は、板状に形成され、板厚方向の上下方向に向けて下枠体６１内に設けられている。下平板部６７の上面６７ｕは、寝具が載置可能とされている。下平板部６７は、長板部６２，６３や短板部６４，６５に連結される構成であってもよいし、長板部６２，６３どうしを連結する連結板に支持される構成であってもよい。
【００５２】
上段ベッド部７０は、上枠体７１と、上枠体７１の上方に配置された柵体８１と、上枠体７１内に納められた上平板部８７と、を有している。
【００５３】
上枠体７１は、下段ベッド部６０の下枠体６１の直上に、下枠体６１と間隔を有して配置されている。上枠体７１は、支持体１０に連結される箇所が支持体１０の上部である点を除いて、下枠体６１と同様の構成であるため、同一の符号を付して、説明を省略する。
【００５４】
柵体８１は、上枠体７１の直上に、上枠体７１と間隔を有して配置されている。上枠体７１は、支持体１０に連結される上下方向の位置を除いて、下枠体６１と同様の構成であるため、同一の符号を付して、説明を省略する。平面視矩形状に形成されている。
【００５５】
柵体８１の長板部６２の端部６２ａ及び短板部６４の端部６４ｂは、第１支持体１０Ａの上端部に連結されている。柵体８１の短板部６４の端部６４ａ及び長板部６３の端部６３ｂは、第２支持体１０Ｂの上端部に連結されている。柵体８１の長板部６３の端部６３ａ及び短板部６５の端部６５ａは、第３支持体１０Ｃの上部に連結されている。図２に示すように、柵体８１の短板部６５の端部６５ａ及び長板部６２の端部６２ｂは、第４支持体１０Ｄの上端部に連結されている。
【００５６】
上平板部８７は、板状に形成され、板厚方向の上下方向に向けて上枠体７１内に設けられている。上平板部８７の上面８７ｕは、寝具が載置可能とされている。上平板部８７は、長板部６２，６３や短板部６４，６５に連結される構成であってもよいし、長板部６２，６３どうしを連結する連結板に支持される構成であってもよい。
【００５７】
第１〜４支持体１０Ａ，１０Ｂ，１０Ｃ，１０Ｄは、上段ベッド部７０の上平板部８７よりも上方にまで延びている。さらに、図２及び図５に示すように、第３支持体１０Ｃの上部は、柵体８１の長板部６３及び短板部６５よりも上方に延びて（突出して）いる。上側のスリットパネル３４及びコンセント３６は、柵体８１の長板部６３及び短板部６５の上方に配置されている。下側のスリットパネル３４及びコンセント３６は、下段ベッド部６０の下枠体６１の長板部６３及び短板部６５の上方に配置されている。
【００５８】
支持体１０は、互いに独立して設けられている。換言すると、支持体１０は、互いに離間して配置されている。つまり、長板部６２に沿って、第１支持体１０Ａの第１板１１と第４支持体１０Ｄの第１側板４１とが離間して配置されている。短板部６４に沿って、第１支持体１０Ａの第２板１２と第２支持体１０Ｂの第２側板２２とが離間して配置されている。長板部６３に沿って、第２支持体１０Ｂの第１側板２１と第３支持体１０Ｃの第１側板３１とが離間して配置されている。短板部６５に沿って、第３支持体１０Ｃの第２側板３２と第４支持体１０Ｄの第２側板４２とが離間して配置されている。
【００５９】
このように構成されたベッド装置１００では、床面上に設置された第１〜４支持体１０Ａ，１０Ｂ，１０Ｃ，１０Ｄが、下段ベッド部６０及び上段ベッド部７０を支持する。第２〜４支持体１０Ｂ，１０Ｃ，１０Ｄは、それぞれ収納棚、マガジンラック、梯子の機能（寝室環境形成部）を有している。このように、第２〜４支持体１０Ｂ，１０Ｃ，１０Ｄが下段ベッド部６０及び上段ベッド部７０を支持する機能を有するとともに、寝室の環境を形成する寝室環境形成部の機能をも有している。よって、棚等の寝室環境に関連する什器をベッドと別に設置するよりも、第２〜４支持体１０Ｂ，１０Ｃ，１０Ｄに寝室環境形成部の機能をもたせることで、居室内にベッド及び寝室環境に関連するものを省スペースで設置することができる。
【００６０】
また、第１〜４支持体１０Ａ，１０Ｂ，１０Ｃ，１０Ｄは下段ベッド部６０及び上段ベッド部７０の四箇所の隅部６０ｃ，７０ｃをそれぞれ支持するため、下段ベッド部６０及び上段ベッド部７０を安定して支持することができる。
【００６１】
また、平面視矩形状に形成された下段ベッド部６０及び上段ベッド部７０の隅部６０ｃ，７０ｃを形成し直交する２面に沿って、第１〜４支持体１０Ａ，１０Ｂ，１０Ｃ，１０Ｄが配置されている。よって、各隅部６０ｃ，７０ｃにおいて、直交する２面を支持するため、下段ベッド部６０及び上段ベッド部７０を安定して支持することができる。
【００６２】
また、支持体１０が離間して配置されるとともに、収納棚、マガジンラック、梯子等の機能が支持体１０間にまたがって形成されていない。よって、隣接する支持体１０間は閉塞されず、使用者に開放感を与えることができる。
【００６３】
また、各支持体１０の上部に上段ベッド部７０を連結させ、各支持体１０の下部に下段ベッド部６０を連結させて、上段ベッド部７０及び下段ベッド部６０を上下に設置している。このように、支持体１０を共通として、いわゆる２段ベッドが構成することができる。
【００６４】
また、第２支持体１０Ｂは棚の背板を形成する背板２３及び棚の側板を形成する第２側板２２を有するため、背板２３及び第２側板２２を支持体と別に設置する必要がない。また、背板２３は隅部６０ｃ，７０ｃを形成する長板部６３に沿い、第２側板２２は隅部６０ｃ，７０ｃを形成する短板部６４に沿って配置されている。よって、背板２３及び第２側板２２を省スペースに設置することができる。
【００６５】
また、第３支持体１０Ｃは物品を係止可能なスリット３４ｈが形成されているスリットパネル３４を有するため、スリットパネル３４を支持体と別に設置する必要がない。また、スリットパネル３４は隅部６０ｃ，７０ｃを形成する短板部６５に沿いって配置されているため、スリットパネル３４を省スペースに設置することができる。また、スリットパネル３４における下段ベッド部６０及び上段ベッド部７０側を向く面にスリット３４ｈが形成されているため、下段ベッド部６０及び上段ベッド部７０を使用する使用者にとって、スリット３４ｈに物品をかけやすい。
【００６６】
また、第４支持体１０Ｄは、上段ベッド部７０へアクセス可能とする梯子の機能を有するため、梯子を支持体と別に設置する必要がなく、梯子（第４支持体１０Ｄ）及び下段ベッド部６０及び上段ベッド部７０を省スペースに設置することができる。
【００６７】
また、第４支持体１０Ｄは梯子の背板を形成する背板４３及び梯子の手摺を形成する第２側板４２を有するため、背板４３及び第２側板４２を支持体と別に設置する必要がない。また、背板４３は隅部６０ｃ，７０ｃを形成する長板部６２に沿い、第２側板４２は隅部６０ｃ，７０ｃを形成する短板部６５に沿って配置されている。よって、背板４３及び第２側板４２を省スペースに設置することができる。
【００６８】
また、第３支持体１０Ｃは上段ベッド部７０よりも上方にまで延びていて、上側のスリットパネル３４及びコンセント３６は、柵体８１の長板部６３及び短板部６５の上方に配置されている。よって、上段ベッド部７０を利用する使用者にとって、上側のスリットパネル３４及びコンセント３６へのアクセスを良好とすることができる。また、下側のスリットパネル３４及びコンセント３６は、下段ベッド部６０の下枠体６１の長板部６３及び短板部６５の上方に配置されている。よって、下段ベッド部６０を利用する使用者にとって、下側のスリットパネル３４及びコンセント３６へのアクセスを良好とすることができる。
【００６９】
（変形例）
上記に示す実施形態の変形例について、主に図６を用いて説明する。
以下の変形例において、前述した実施形態で用いた部材と同一の部材には同一の符号を付して、その説明を省略する。
上記に示し実施形態ではベッド装置１００は２段ベッドであるが、本変形例ではベッド装置１００Ｘは１段のベッドである。
【００７０】
ベッド装置１００Ｘでは、２箇所に第１支持体１０Ａが設けられ、他の箇所に第２支持体１０Ｂ及び第３支持体１０Ｃが設けられている。本変形例での第１〜３支持体１０Ａ，１０Ｂ，１０Ｃは、上記に示す第１〜３支持体１０Ａ，１０Ｂ，１０Ｃよりも上下方向の長さが短い構成となっている点を除いて同様の構成である。本変形例のベッド部７０は、上記に示す上段ベッド部７０と同様の構成である。柵体８１は、第１，２支持体１０Ａ，１０Ｂの上端部に連結されている。柵体８１は、第３支持体１０Ｃの上下方向の中間に連結されている。第３支持体１０Ｃの上部は、柵体８１よりも上方に延びて（突出して）いる。
【００７１】
このように構成されたベッド装置１００Ｘでは、床面上に設置された第１〜３支持体１０Ａ，１０Ｂ，１０Ｃが、ベッド部を７０支持する。第２，３支持体１０Ｂ，１０Ｃは、それぞれ収納棚、マガジンラックの機能（寝室環境形成部）を有している。このように、第２，３支持体１０Ｂ，１０Ｃがベッド部７０を支持する機能を有するとともに、寝室の環境を形成する寝室環境形成部の機能をも有している。よって、棚等の寝室環境に関連する什器をベッドと別に設置するよりも、第２，３支持体１０Ｂ，１０Ｃに寝室環境形成部の機能をもたせることで、ベッド及び寝室環境に関連するものを省スペースで設置することができる。
【００７２】
また、第１〜３支持体１０Ａ，１０Ｂ，１０Ｃはベッド部７０の四箇所の隅部７０ｃをそれぞれ支持するため、ベッド部７０を安定して支持することができる。
【００７３】
また、支持体１０が離間して配置されるとともに、収納棚、マガジンラック等の機能が支持体１０間にまたがって形成されていない。よって、隣接する支持体１０間は閉塞されず、使用者に開放感を与えることができる。
【００７４】
また、上述した実施の形態において示した各構成部材の諸形状や組み合わせ等は一例であって、本発明の主旨から逸脱しない範囲において設計要求等に基づき種々変更可能である。
【００７５】
例えば、上記に示す実施形態では、４箇所の支持体１０のうち３箇所の支持体１０（第２〜４支持体１０Ｂ，１０Ｃ，１０Ｄ）が寝室環境形成部を有している。変形例では、４箇所の支持体１０のうち２箇所の支持体１０（第２，３支持体１０Ｂ，１０Ｃ）が寝室環境形成部を有している。しかし、本発明はこれに限られない。少なくとも１の支持体１０が寝室環境形成部を有していればよい。
【００７６】
また、上記に示す実施形態では、寝室環境形成部として、収納棚、マガジンラック、梯子を例に挙げて説明したが、本発明はこれに限られない。寝室環境形成部は寝室の環境を形成するもので、使用者が就寝したり、くつろいだり、ベッド（寝具支持部）内及びベッド周辺に居る際に使用するものであり、例えば、書棚、鏡台、ホワイトボード、コートを吊り下げ可能なコートハンガー収納、照明装置、カウンター、デスク等であってもよい。
【００７７】
また、上記に示す実施形態では、支持体１０は、隅部６０ｃ，７０ｃを形成し直交する２面に沿って配置されているが本発明はこれに限られない。例えば、支持体が床面から立設され隅部を支持する角柱や円柱の支柱等であってもよいし、支持体が隅部からわずかに離間した位置（隅部近傍）に設置されていてもよい。
【符号の説明】
【００７８】
１０…支持体
１０Ａ…第１支持体
１０Ｂ…第２支持体（寝室環境形成部）
１０Ｃ…第３支持体（寝室環境形成部）
１０Ｄ…第４支持体（寝室環境形成部）
６０…下段ベッド部（寝具支持部）
７０…上段ベッド部（寝具支持部）
１１…第１板
１２…第２板
２１…第１側板
２２…第２側板
２３…背板
２４…棚板
２５…天板
３１…第１側板
３２…第２側板
３３…連結板
３４…スリットパネル
４１…第１側板
４２…第２側板
４３…背板
４４…段板部
６１…下枠体
６２，６３…長板部
６４，６５…短板部
６７…下平板部
７１…上枠体
８１…柵体
８７…上平板部
１００，１００Ｘ…ベッド装置
【図１】
2019080597.tif 000003
【図２】
2019080597.tif 000004
【図３】
2019080597.tif 000005
【図４】
2019080597.tif 000006
【図５】
2019080597.tif 000007
【図６】
2019080597.tif 000008